(57)【要約】【課題】棚板の取付け角度を任意に設定できるとともに、構造が簡単で、しかも棚板を安定して支持しうる陳列棚を提供する。【解決手段】後面と両側面とに、縦桟７と横桟８とからなる格子構造体９、１０を配設し、棚板２の後端に、後面の格子構造体９における任意の横桟８に係合しうる下向きの係止片１４を設け、かつ棚板２の前部両側端に、外側方に向かって突出し、両側面の格子構造体１０における任意の横桟８上に載置される係止部材１６を設ける。【選択図】      図７
2005177019.tif 000002
【特許請求の範囲】
【請求項１】
後面と両側面とに、縦桟と横桟とからなる格子構造体を配設し、棚板の後端に、後面の格子構造体における任意の横桟に係合しうる下向きの係止片を設け、かつ棚板の前部両側端に、外側方に向かって突出し、両側面の格子構造体における任意の横桟上に載置される係止部材を設けたことを特徴とする陳列棚。
【請求項２】
後面中央に中央支柱を、また両側面の前部に側部支柱をそれぞれ設け、前記中央支柱と側部支柱とに、平面視Ｌ字状をなす横桟の各端部を止着することにより、中央支柱の両側に後面用の格子構造体と側面用の格子構造体とを連続して設けたことを特徴とする請求項１記載の陳列棚。
【請求項３】
棚板の後端中央に設けた切り欠きを、中央支柱に係合させた請求項１または２記載の陳列棚。
【請求項４】
係止部材を、棚板の側面より外側に向かって突出する基片が横桟上に載置され、かつ前記基片の先端に連設された後向片が縦桟に係合するようにした係止片とした請求項１〜３のいずれかに記載の陳列棚。
【請求項５】
係止部材を、棚板の側面より外側方に出没自在に設けた係止ピンとした請求項１〜３のいずれかに記載の陳列棚。
【発明の詳細な説明】
【技術分野】
【０００１】
本発明は、店舗等で使用される陳列棚に関し、特に、後面と両側面とに、縦桟と横桟とからなる格子構造体を配設した陳列棚における棚板の取付け構造の改良に関する。
【背景技術】
【０００２】
従来、商品陳列棚として、鋼線等からなる縦桟と横桟とにより構成した格子構造体を、左右の側面に配設し、棚板の両側縁に設けた下向きの係止片を、両側面の横桟に係止して、棚板を支持するようにしている(例えば、特許文献１参照)。
【特許文献１】特開平１０−１４６２４８号公報（図１）
【発明の開示】
【発明が解決しようとする課題】
【０００３】
しかし、上記従来技術では、棚板の両側縁の前後で下向きの係止片を同じ１本の横桟に係止する構造であるため、棚板は、常に横桟と平行の方向、すなわち水平にしか取付けできない。したがって、例えば商品を見やすく陳列するため、棚板を前下がり傾斜状態で支持することができないという問題がある。
【０００４】
本発明は、従来の技術が有する上記のような問題点に鑑み、棚板の取付け角度を任意に設定できるとともに、構造が簡単で、しかも棚板を安定して支持しうるようにした陳列棚を提供することを目的としている。
【課題を解決するための手段】
【０００５】
本発明によると、上記課題は、次のようにして解決される。
(１)  後面と両側面とに、縦桟と横桟とからなる格子構造体を配設し、棚板の後端に、後面の格子構造体における任意の横桟に係合しうる下向きの係止片を設け、かつ棚板の前部両側端に、外側方に向かって突出し、両側面の格子構造体における任意の横桟上に載置される係止部材を設ける。
【０００６】
(２)  上記(１)項において、後面中央に中央支柱を、また両側面の前部に側部支柱をそれぞれ設け、前記中央支柱と側部支柱とに、平面視Ｌ字状をなす横桟の各端部を止着することにより、中央支柱の両側に後面用の格子構造体と側面用の格子構造体とを連続して設ける。
【０００７】
(３)  上記(１)または(２)項において、棚板の後端中央に設けた切り欠きを、中央支柱に係合させる。
【０００８】
(４)  上記(１)〜(３)項のいずれかにおいて、係止部材を、棚板の側面より外側に向かって突出する基片が横桟上に載置され、かつ前記基片の先端に連設された後向片が縦桟に係合するようにした係止片とする。
【０００９】
(５)  上記(１)〜(３)項のいずれかにおいて、係止部材を、棚板の側面より外側方に出没自在に設けた係止ピンとする。
【発明の効果】
【００１０】
本発明によると、次のような効果を奏することができる。
(ａ)請求項１記載の発明によると、棚板の後端の係止片を、後面の格子構造体における任意の横桟に係止し、かつ棚板の前部両側端に設けた係止部材を、係止片を係止した横桟の高さに関係なく、両側面における任意の横桟に係止することができるので、棚板を、例えば前下がり傾斜状態で支持して、陳列商品を見やすくすることができる。
また、棚板の後端に下向きの係止片を設け、かつ棚板の前部両側端に、係止部材を設けるだけの簡単な構造であるので、安価に製造することができるとともに、棚板の取付け取外しが容易である。
【００１１】
(ｂ)請求項２記載の発明によると、陳列棚の後部のコーナーに支柱を設ける必要がないので、部品点数を削減できるだけでなく、後部のコーナーの美観を高めることができ、しかも棚板の後側部に配設した陳列商品を、後部支柱に遮られることなく、側面の格子構造体を通して側方から視認することができ、独特の美観を発揮させることができる。
【００１２】
(ｃ)請求項３記載の発明によると、棚板の後端中央に設けた切り欠きを、中央支柱に係合させたことにより、棚板の左右方向のがたつきを確実に防止することができるとともに、棚板の支持が安定する。
【００１３】
(ｄ)請求項４記載の発明によると、単一の係止片により、棚板の前部を側面の横桟上に支持させることができるだけでなく、後向片が縦桟にも係合して、棚板の後方への移動を阻止することができ、棚板の支持がより安定する。
【００１４】
(ｅ)請求項５記載の発明によると、係止部材を、棚板の側面より外側方に出没自在に設けた係止ピンとしたので、棚板の取付け時または取外し時に、係止ピンを棚板の内方に引っ込めておくことにより、棚板の出し入れ操作を、楽に、かつ簡単に行なうことができる。
【発明を実施するための最良の形態】
【００１５】
以下、本発明の実施形態を，図面に基づいて説明する。
図１〜図７は、本発明の第１の実施形態を示す。
【００１６】
図１〜図３に示すように、この陳列棚は、平面視前向コ字状をなす外フレーム(１)と、この外フレーム(１)内に取付けられた任意の数の棚板(２)とにより構成されている。
【００１７】
外フレーム(１)は、左右方向を向く後部横杆(3a)(4a)の両端に前向杆(3b)(3b)(4b)(4b)が連設された平面視前向コ字状をなす上下部枠杆(３)(４)と、それらの後部中央同士を連結する中央支柱(５)と、同じく両側前部同士を連結する側部支柱(６)(６)とを備えている。
【００１８】
中央支柱(５)の両側における上下部枠杆(３)(４)の後部横杆(3a)(4a)同士の間、および前向杆(3b)(3b)同士の間には、鋼線よりなる複数の縦桟(７)と複数の横桟(８)とからなる後面用の格子構造体(９)と、両側面用の格子構造体(10)とが配設されている。
【００１９】
また、中央支柱(５)と各側部支柱(６)とに、平面視Ｌ字状をなす横桟(８)の各端部を止着することにより、中央支柱(５)の両側に後面用の格子構造体(９)と側面用の格子構造体(10)とが連続して設けられている。
【００２０】
図４〜図７に示すように、棚板(２)は、全体が金属板により形成されており、平面視ほぼ方形の本体部(11)の両側端には、側部垂下片(12)が下方に向かってほぼ直角に折曲形成され、本体部(11)の後部における若干斜め後下方に傾斜する傾斜部(11a)の後端には、後部垂下片(13)が連設されている。
【００２１】
後部垂下片(13)の後面には、左右１対(複数対でもよい)の下向きコ字状の後部係止片(14)が、溶接等により固着されている。
なお、この後部係止片(14)は、後部垂下片(13)から側面視下向き鉤状をなすように切り起こして形成してもよい。
【００２２】
本体部(11)の後端中央部には、上記中央支柱(５)の断面形状とほぼ補形をなす切り欠き(15)が設けられている。
側部垂下片(12)の前端部寄りには、前部係止片(16)が設けられている。この前部係止片(16)は、側部垂下片(12)の内面に溶接等で取付けられた取付片(16a)と、取付片(16a)の後端から、側部垂下片(12)に設けられた縦長の切り欠き(17)を通って外側方に延出する基片(16b)と、基片(16b)の先端に連設された後向片(16c)とからなっている。
【００２３】
なお、前部係止片(16)は、側部垂下片(12)の一部を外向きに折曲げて形成してもよい。これにより、別部材の前部係止片(16)を取付けなくてもよく、加工コストを抑えることができる。
棚板(２)の前端縁には、棚板(２)上に載置した物品の落下防止用の起立片(18)が折曲形成されている。
【００２４】
棚板(１)は、以下のようにして外フレーム(１)に取付けられる。
外フレーム(１)内に、棚板(２)を、その左右の前部係止片(16)(16)が左右の側部支柱(６)(６)に当接しないように、側方に若干傾けて、前方から挿入し、次いで、棚板(２)をほぼ水平に戻しつつ、左右の前部係止片(16)(16)の基片(16b)(16b)を、両側部の格子構造体(10)における所望の横桟(８)に載置させるとともに、棚板(２)の後端の切り欠き(15)を中央支柱(５)に係合させ、さらに後部係止片(14)を、後面用の格子構造体(９)における任意の横桟(８)に上方より係合させる。
【００２５】
このように、棚板(２)の後端の切り欠き(15)が中央支柱(５)に係合し、左右の前部係止片(16)(16)の基片(16b)(16b)が、両側部の格子構造体(10)における所望の横桟(８)に載置され、さらに、後部係止片(14)が後面用の格子構造体(９)における任意の横桟(８)に上方より係合することにより、棚板(２)は、前後左右にがたつくことなく、安定して支持される。
【００２６】
図６および図７に示すように、前部係止片(16)を載置する横桟(８)を、後部係止片(14)を引掛けた横桟(８)よりも１段下側の横桟(８)とすれば、棚板(２)は緩やかな前下がり傾斜となり、後部係止片(14)を引掛けた横桟(８)より２段またはそれ以上下側の横桟(８)を選択すれば、棚板(２)はより急な前下がり傾斜となる。また、前部係止片(16)を載置する横桟(８)を、後部係止片(14)を係止した横桟(８)と等高とすれば、棚板(２)は水平に支持される。
【００２７】
さらに、この例では、図７に示すように、前部係止片(16)を載置する横桟(８)を、後部係止片(14)を引掛けた横桟(８)より１段下側としたとき、前部係止片(16)における後向片(16c)が、前部の縦桟(７)に前方より係合しうるような寸法に設定してあり、このように、後向片(16c)を前部の縦桟(７)に前方より係合させることにより、棚板(２)の後方への移動が確実に阻止されるとともに、左右方向のがたつき等も防止することができる。
【００２８】
このように、後部係止片(14)と前部係止片(16)との係止高さを適宜変更することにより、棚板(２)の傾斜角度を任意に設定できるので、陳列商品が最も見やすくなるように、棚板(１)の角度を最適に設定することができる。
【００２９】
図８〜図１０は、本発明の第２の実施形態を示す。
この例では、前部係止片(16)に代わる係止部材(19)として、棚板(２)の側面より外側方に出没自在に設けた係止ピン(20)を採用している。
【００３０】
この係止ピン(20)は、棚板(２)の前部の両側部下面に固着した板状のホルダ(21)の中間部に形成された左右方向を向く円筒状のガイド部(22)に摺動自在に嵌合されている。係止ピン(20)の中間部外周面には、ピン状の取手(23)が突設されており、この取手(23)は、ホルダ(21)のガイド部(22)に形成されたガイド溝(24)を貫通して外方に突出している。
【００３１】
ガイド溝(24)は、ガイド部(22)の長手方向を向く長溝(25)の両端に、係止ピン(20)が、図１０に実線で示すように、棚板(２)の側部垂下片(12)に設けた倒立Ｕ字状の切り欠き(28)を通って外側方に突出する突出位置に位置しているときに係合しうる弧状溝(26)と、係止ピン(20)が、図１０に想像線で示すように、棚板(２)の側面より内側に退避した退避位置に位置しているときに係合しうる弧状溝(27)とを連設したものよりなっている。
【００３２】
棚板(２)を外フレーム(１)に取付けるとき、または外フレーム(１)から取外すときに、取手(23)を退避位置用の弧状溝(27)に係合させて、係止ピン(20)を退避位置に位置させておけば、係止ピン(20)が棚板(２)の出し入れの邪魔にならず、棚板(２)の着脱を容易に行うことができる。
また、棚板(２)を外フレーム(１)内に入れた後、取手(23)を突出位置用の弧状溝(26)に移動させて、係止ピン(20)を突出位置に位置させ、係止ピン(20)を任意の横桟(８)に係合させることができる。
【図面の簡単な説明】
【００３３】
【図１】本発明の第１の実施形態の正面図である。
【図２】同じく、側面図である。
【図３】図１のIII−III線拡大断面図である。
【図４】同じく、棚板の平面図である。
【図５】同じく、棚板の側面図である。
【図６】図５のＶI−ＶI線断面図である。
【図７】棚板の取付部分の詳細を示す側面図である。
【図８】本発明の第２の実施形態における棚板の側面図である。
【図９】同じく、要部の拡大分解斜視図である。
【図１０】同じく、底面図である。
【符号の説明】
【００３４】
(１)外フレーム
(２)棚板
(３)上部枠杆
(４)下部枠杆
(3a)(4a)後部横杆
(3b)(4b)前向杆
(５)中央支柱
(６)側部支柱
(７)縦桟
(８)横桟
(９)(10)格子構造体
(11)本体部
(11a)傾斜部
(12)側部垂下片
(13)後端垂下片
(14)後部係止片(係止片)
(15)切り欠き
(16)前部係止片(係止部材)
(16a)取付片
(16b)基片
(16c)後向片
(17)切り欠き
(18)起立片
(19)係止部材
(20)係止ピン
(21)ホルダ
(22)ガイド部
(23)取手
(24)ガイド溝
(25)長溝
(26)(27)弧状溝
(28)切り欠き
【図１】
2005177019.tif 000003
【図２】
2005177019.tif 000004
【図３】
2005177019.tif 000005
【図４】
2005177019.tif 000006
【図５】
2005177019.tif 000007
【図６】
2005177019.tif 000008
【図７】
2005177019.tif 000009
【図８】
2005177019.tif 000010
【図９】
2005177019.tif 000011
【図１０】
2005177019.tif 000012